(57)【特許請求の範囲】
【請求項１】
導体（１）を下から上へ電着槽（10）内を走行させ、該導体（１）に無数の樹脂微粒子（11）を付着させて疎電着被膜（２）を形成し、
上記疎電着被膜（２）に、有機溶剤の蒸気（Ｊ）と、噴射ノズル（21）から噴霧された有機溶剤のミスト（Ｍ）と、を混合した混合有機溶剤（Ｋ）を接触させて、上記疎電着被膜（２）の上記樹脂微粒子（11）を溶解させて密電着被膜（３）を形成し、
次に、上記密電着被膜（３）を上記導体（１）に焼き付けて、該導体（１）に絶縁層（４）を被覆形成することを特徴とする絶縁電線の製造方法。
【請求項２】
下から上へ走行する導体（１）に無数の樹脂微粒子（11）を付着させて疎電着被膜（２）を形成するための電着槽（10）と、有機溶剤の蒸気（Ｊ）と噴射ノズル（21）から噴霧された有機溶剤のミスト（Ｍ）とを混合して混合有機溶剤（Ｋ）をつくる混合槽（20）と、該混合槽（20）に連通すると共に上記混合有機溶剤（Ｋ）を上記疎電着被膜（２）に接触させて密電着被膜（３）を形成するための処理槽（30）と、上記密電着被膜（３）を上記導体（１）に焼き付けて該導体（１）に絶縁層（４）を被覆形成するための焼付炉（40）と、を備えたことを特徴とする絶縁電線の製造装置。
【請求項３】
上記混合槽（20）は、上記噴射ノズル（21）と、有機溶剤の液体（Ｅ）を収容した液溜部（22）と、該液溜部（22）内の有機溶剤の上記液体（Ｅ）を加熱して有機溶剤の上記蒸気（Ｊ）を発生させるための加熱ヒータ部（24）と、を備えた請求項２記載の絶縁電線の製造装置。
【請求項４】
上記混合槽（20）は、噴霧された上記ミスト（Ｍ）が直接的に上記疎電着被膜（２）に接触するのを防止するための遮蔽壁部（25）を有する請求項３記載の絶縁電線の製造装置。
【請求項５】
上記処理槽（30）の上部（30ａ）に、該処理槽（30）内の上記混合有機溶剤（Ｋ）を吸引して回収するための吸引口部（36）を設け、さらに、該吸引口部（36）より上方位置に、空気（Ｄ）を下方へ噴射するエアー噴出器（51）を備えた請求項２，３又は４記載の絶縁電線の製造装置。
【発明の詳細な説明】
【技術分野】
【０００１】
本発明は、絶縁電線の製造方法及び製造装置に関する。
【背景技術】
【０００２】
従来、マグネットワイヤ等の絶縁電線は、銅等の導体に絶縁層を被覆形成した絶縁電線が広く用いられている。このような絶縁電線の製造方法としては、電着槽内を通過させる導体に無数の樹脂微粒子を付着させて電着被膜を形成し、次に、電着被膜を焼付け、導体に絶縁層を被覆形成していた（例えば、特許文献１参照）。
しかし、電着槽を通過させただけでは、付着した無数の樹脂微粒子同士の間に、ピンホールの原因となる隙間の多い疎電着被膜しか形成できないため、焼付処理の前に、有機溶剤の液体に浸して樹脂微粒子を溶解させて隙間を少なくする溶解処理を行っていた（例えば、特許文献２参照）。
【先行技術文献】
【特許文献】
【０００３】
【特許文献１】特開２０１０−１４０６４１号公報
【特許文献２】特開平３−２４１６０９号公報
【発明の概要】
【発明が解決しようとする課題】
【０００４】
しかしながら、疎電着被膜が形成された導体を、大量の有機溶剤の液体に浸しても、表面張力等により、樹脂微粒子同士の隙間に液体が浸透せず、十分に樹脂微粒子を溶解できないという問題があった。また、有機溶剤の液体は周囲環境に悪影響を及ぼす虞が高いため、使用量の低減が望まれていた。
【０００５】
そこで、本発明は、上記樹脂微粒子間の隙間に確実に有機溶剤が浸透して、その隙間を消失させるように樹脂微粒子を溶解させて、ピンホールの少ない絶縁特性に優れた絶縁電線の製造方法及び製造装置の提供を目的とする。
さらに、有機溶剤の使用量が節約でき、かつ、大気汚染を防止することを他の目的とする。
【課題を解決するための手段】
【０００６】
上記目的を達成するために、本発明の絶縁電線の製造方法は、導体を下から上へ電着槽内を走行させ、該導体に無数の樹脂微粒子を付着させて疎電着被膜を形成し、上記疎電着被膜に、有機溶剤の蒸気と、噴射ノズルから噴霧された有機溶剤のミストと、を混合した混合有機溶剤を接触させて、上記疎電着被膜の上記樹脂微粒子を溶解させて密電着被膜を形成し、次に、上記密電着被膜を上記導体に焼き付けて、該導体に絶縁層を被覆形成する方法である。
【０００７】
また、本発明の絶縁電線の製造装置は、下から上へ走行する導体に無数の樹脂微粒子を付着させて疎電着被膜を形成するための電着槽と、有機溶剤の蒸気と噴射ノズルから噴霧された有機溶剤のミストとを混合して混合有機溶剤をつくる混合槽と、該混合槽に連通すると共に上記混合有機溶剤を上記疎電着被膜に接触させて密電着被膜を形成するための処理槽と、上記密電着被膜を上記導体に焼き付けて該導体に絶縁層を被覆形成するための焼付炉と、を備えたものである。
【０００８】
また、上記混合槽は、上記噴射ノズルと、有機溶剤の液体を収容した液溜部と、該液溜部内の有機溶剤の上記液体を加熱して有機溶剤の上記蒸気を発生させるための加熱ヒータ部と、を備えたものである。
また、上記混合槽は、噴霧された上記ミストが直接的に上記疎電着被膜に接触するのを防止するための遮蔽壁部を有するものである。
また、上記処理槽の上部に、該処理槽内の上記混合有機溶剤を吸引して回収するための吸引口部を設け、さらに、該吸引口部より上方位置に、空気を下方へ噴射するエアー噴出器を備えたものである。
【発明の効果】
【０００９】
本発明の絶縁電線の製造方法及び製造装置によれば、樹脂微粒子同士の間に有機溶剤が確実に浸透し、樹脂微粒子同士の境界をなくすように溶解して、樹脂微粒子間の隙間がほとんどない密電着被膜を形成することができ、ピンホールの少ない高品質の絶縁電線が得られる。少ない量の有機溶剤で効率よく確実に樹脂微粒子間の隙間を少なくできる。噴射ノズルを用いることで、有機溶剤の量を容易に調整でき、有機溶剤の使用量、及び、大気への排出量を大幅に削減できる。
【図面の簡単な説明】
【００１０】
【図１】本発明の絶縁電線の製造装置の実施の一形態を示す要部簡略構成図である。
【図２】絶縁電線の製造装置の要部拡大断面図である。
【図３】図２のＡ−Ａ断面図である。
【図４】回収配管の一例を示す簡略構成図である。
【図５】作用説明図である。
【図６】作用説明図である。
【図７】作用説明図である。
【図８】作用説明図である。
【発明を実施するための形態】
【００１１】
以下、図示の実施の形態に基づき本発明を詳説する。
本発明の絶縁電線の製造装置は、図１の実施の一形態に示すように、下から上へ（矢印Ｇの方向）へ走行する導体１と、電着液19が貯えられると共に導体１に無数の樹脂微粒子11を付着させる電着槽10と、電着した樹脂微粒子11を覆う未電着ワニスを除去する持ち出しワニス除去手段90と、有機溶剤の蒸気Ｊと有機溶剤のミストＭとを混合して混合有機溶剤（混合流体）Ｋをつくる混合槽20と、混合槽20に連通すると共に導体１に付着した樹脂微粒子11の溶解を行う処理槽30と、樹脂微粒子11を導体１に焼き付ける焼付炉40と、を備えている。また、図示省略するが、電着槽10の下方位置に配設され導体１を送り出す繰出ローラと焼付炉40の上方位置に配設され導体１を引き込む巻付ローラとを備えている。
【００１２】
電着槽10は、マイナス電極18，18が差し込まれると共に溶質として無数の樹脂微粒子11を有する電着液（電着ワニス）19が貯えられ、底壁部の導入孔を介してプラス極とされた導体１が下から上へ連続的に通過するように構成されている。図５及び図６に示すように、導体１の外周面１ａに、マイナス電荷に帯電した無数の樹脂微粒子11を包囲状に電着させる。
【００１３】
持ち出しワニス除去手段90は、電着槽10を通過した後に、未電着ワニスを除去する一対のエアワイパ91，91を備えている。一対のエアワイパ91，91は、導体１を挟んで対向して（導体１の両側に）設けられ、所定の角度（例えば、斜め下方）に向くように配設している。
【００１４】
図２に示すように、混合槽20は、内部に導体１が下から上へ連続的に通過（貫走）する混合室28を有している。導体１を混合室28に下方から導く導入口部27と、処理槽30に連通する連通口部29と、有している。混合槽20は、導入口部27と連通口部29以外から混合有機溶剤Ｋが流出するのを防止された密封状である。
【００１５】
また、図２及び図３に於て、混合槽20は、有機溶剤のミストＭを略水平方向（導体１の長手方向に略直交する方向）に噴霧する噴射ノズル21と、有機溶剤の液体Ｅが収容された液溜部22と、液溜部22内の液体Ｅを加熱して有機溶剤の蒸気Ｊを発生させるために底壁部28ｃ内（液溜部22の下方）に設けられた加熱ヒータ部24と、を備えている。加熱ヒータ部24は液体Ｅの蒸気化及び蒸気Ｊの温度調整を行う。また、混合槽28の側壁部28ｂ内にも同様に加熱ヒータ部24を備え、槽内の温度を調整するようにしている。側壁部28ｂの加熱ヒータ部24は槽内を均一に保つために保温しているとも言える。
【００１６】
さらに、混合槽20は、導体１に付着した樹脂微粒子11に、噴霧されたミストＭが直接的（直線的）に接触するのを防止する鉛直壁面状の遮蔽壁部25を有している。
遮蔽壁部25は、噴射ノズル21と導体１の間で、混合室28の天井壁部28ａから垂設している。なお、本発明に於て、「直接的に接触」とは、ミストＭが、噴射ノズル21から噴出された際の勢い（噴射圧）をもったまま衝突するように接触することである。
また、図示省略するが、遮蔽壁部25の内部に加熱ヒータ部24を設け、混合槽20内の温度を、一層均一に保つようするも望ましい。
【００１７】
図３に示すように、遮蔽壁部25は、ミストＭの噴射方向に平行状の（混合室28の）側壁部28ｂ，28ｂとの間、（混合室28の）底壁部28ｃとの間、液溜部22との間、が離間し（隙間を形成し）、噴霧されたミストＭが、遮蔽壁部25を回り込んで、導体１の貫走部位に充満浮遊するように構成している。このように遮蔽壁部25によって、導体１側への迂回路を形成している。
【００１８】
図４に示すように、噴射ノズル21は、有機溶剤の液体Ｅが貯えられたタンクＴに、中継タンクｔとポンプＰを介して接続されている。有機溶剤の液体Ｅを、所定の圧力かつ常温で、１０μｍ以上１００μｍ以下の粒径の有機溶剤のミストＭとして噴霧するものである。
【００１９】
図２に示すように、加熱ヒータ部24によって、液溜部22内の有機溶剤の液体Ｅを、１２０℃〜１５０℃に加熱して、粒径が０．１μ〜１０μｍ未満の蒸気として、蒸散させるものである。このように、液溜部22に於て、有機溶剤（液体Ｅ）を沸点付近まで加熱することによって、蒸気（気体）Ｊを発生させる。また、有機溶剤のミストＭと有機溶剤の蒸気Ｊは、その成分は同じである。
【００２０】
また、加熱ヒータ部24は、天井壁部28ａと噴射ノズル21が設けられた噴射側壁部28ｄ以外の混合室28の壁部を加熱して内部を保温するように配設されている。即ち、加熱ヒータ部24は、側壁部28ｂ，28ｂ、底壁部28ｃ、噴射対向壁部28ｅを、加熱し、室内を保温する。また、底壁部28ｃ内の（液溜部22の下方に配設された）加熱ヒータ部24によって、液溜部22の有機溶剤の液体Ｅを１２０℃〜１５０℃に加熱する。発生した蒸気Ｊは、噴射ノズル21のミストＭに効率良く熱エネルギーを与え、ミストＭが直ちに加熱されて、処理槽30へ流れる混合流体（混合有機溶剤）Ｋが５０℃以上８０℃以下、より好ましくは、６０℃以上８０℃以下とする。このように、温度を制御するためには、（図示省略の）温度センサを連通口部29（処理槽30の下部30ｂ）に付設して、加熱ヒータ部24をＯＮ−ＯＦＦ制御（温調制御）するのが好ましい。
【００２１】
処理槽30は、内部に、縦長状の処理室38を有している。下部30ｂに、混合槽20の連通口部29と接続されると共に内部に導体１を導く入口部37を有している。また、処理層30の上部かつ上部周壁部（側）に、処理槽30内の混合有機溶剤Ｋを吸引して回収するための吸引口部36を設けている。また、吸引口部36より上方位置に、空気Ｄを下方に噴射するエアー噴出器51を備えている。具体的には、エアー噴出器51は、吸引口部36より上方を包囲する天井カバー部50に設けている。
エアー噴出器51は、天井カバー部50から導体１を外部へ出すための上方開口部52の近傍に設けられ、天井カバー部50内（上部30ａ)の空気を下方に押し込むように空気Ｄを噴出させる。このような構造とすることで、処理槽30内への混合有機溶剤Ｋの閉じ込め効率を向上させると共に、上方開口部52からの混合有機溶剤Ｋの流出を抑制している。
【００２２】
処理槽30は、入口部37から連続的に流入する混合有機溶剤Ｋと、エアー噴出器51から下方に噴出される空気Ｄと、によって、内部に混合有機溶剤Ｋが十分に停留し、大気（外気）へ漏れるのが防止された密封状である。混合槽20と処理槽30とは気密性をもって接続され一体状に形成されている。
【００２３】
また、図４に示すような回収配管60を備えている。処理槽30の吸引口部36に接続された吸引配管61と、吸引配管61の下流側に接続されたバルブＶと、が設けられている。また、バルブＶを介して噴射ノズル21に接続されたタンクＴへ液化した有機溶剤を送るための再利用配管63と、処理槽30及び混合槽20内で滴下（液化）した有機溶剤をタンクＴに回収する戻し配管64と、を備えている。なお、図示省略するが、配管の所定の位置に、吸引力を発生させるための吸引ファンを介設している。また、戻し配管64は、図示省略するが処理槽30の下部30ｂに接続した分岐配管部を付加する等も望ましい。
バルブＶは、吸引配管61内の液体Ｋａ（吸い込んだ混合有機溶剤Ｋの液体部分Ｋａ）は、タンクＴへ送って再利用するようにしている。吸引配管61内の気体Ｋｂ（吸い込んだ混合有機溶剤Ｋの気体部分Ｋｂ）は、濃度調整や不純物除去等の再生処理を行った後に、タンクＴへ戻して再利用するようにしている。
【００２４】
導体１は、横断面が長辺と短辺を有する矩形状（平角状）であって、銅や銅合金等の金属材料である。有機溶剤は、Ｎ，Ｎ−ジメチルアセトアミド、ジメチルスルホキシド等であり、特に、Ｎ，Ｎ−ジメチルホルムアミド（ＤＭＦとも呼ばれる場合もある）が好適である。有機溶剤の液体Ｅは、溶質を有機溶剤とし、溶媒を水としたものが、好適である。樹脂微粒子11は、アクリルエポキシ樹脂やポリイミド樹脂等が望ましい。
【００２５】
上述した本発明の絶縁電線の製造装置の使用方法（作用）及び製造方法について説明する。
図１に示すように、導体１を下から上に電着槽10内を走行させると、図５に示すように、導体１の外周面１ａに無数の樹脂微粒子11が付着する。図６に示すように、導体１に付着した樹脂微粒子11と樹脂微粒子11の間には、焼付処理後にピンホールの原因となる極小さな隙間12が形成される。つまり、電着槽10内を通過した導体１には、無数の樹脂微粒子11が疎らに付着した疎電着被膜２が形成される。
【００２６】
電着槽10内を通過した導体１は、疎電着被膜２（電着した樹脂微粒子11）を覆う未電着ワニスが付着している。この未電着ワニスを、エアワイパ91，91によって除去する。また、導体１を鉛直状に走行させることで、水平状に走行させる場合に比べて、余分な電着液19（未電着ワニス）を自重により落下させると共に、導体１の外周面１ａに、疎電着被膜２の厚みを均一状になるように樹脂微粒子11を付着させることができる。
【００２７】
そして、疎電着被膜２が形成された導体１を、図１及び図２に示すように、混合槽20内へ走行させる。
混合槽20内には、導体１が導入される前に（予め）混合有機溶剤Ｋがつくられるが、導体１が通過中も連続してつくられる。
噴射ノズル21から所定の噴射圧力で、有機溶剤のミストＭを噴霧する。噴霧されたミストＭは遮蔽壁部25によって、直接的に導体１に吹き付けられず、遮蔽壁部25を廻り込んで（迂回して）導体１の走行位置に濃密状態で浮遊する。噴霧されるミストＭは、噴射圧力、粒径、噴霧量が、樹脂微粒子11の溶解処理に最適な状態に噴射ノズル21やポンプＰの操作によって微調整される。
液溜部22内の有機溶剤の液体Ｅを、加熱ヒータ部24によって加熱し、有機溶剤の蒸気Ｊを発生させるが、略密封状態の混合槽20内に、このように加熱された（高温の）蒸気Ｊが充満しており、この蒸気Ｊに噴射ノズル21からミストＭが噴出して、混合しつつ、（高温の）蒸気Ｊからの熱エネルギーが付与されて活性化し、かつ、蒸気Ｊ発生に伴う体積膨張により混合槽20内の圧力も上昇して、熱エネルギーが付与されたミストＭは（蒸気Ｊと共に）連通口部29から処理槽30へ、図３の矢印Ｋｏのように、供給される。このように、有機溶剤の蒸気Ｊは、それよりも十分に多量のミストＭを、矢印Ｋｏのように処理槽30へ送り込むキャリアの役目（作用）をなす。
繰り返して説明すれば、ミストＭは、蒸気Ｊによって加熱（熱エネルギーが付与）され、かつ、混合されることで、有機溶剤を溶解するための活性が上がり、常温のミストＭに比べて、効率良く溶解処理を行う。また、液体Ｅに比べて混合有機溶剤Ｋは表面張力の影響が少なく、確実に隙間12に浸透し、溶解処理を行う。
【００２８】
また、加熱ヒータ部24を天井壁部28ａに設けていないので、混合有機溶剤Ｋが滴下する（天井壁部28ａに有機溶剤の液滴を付着させ落下させる）、この液滴は、有機溶剤の濃度が高いため戻し配管64を介してタンクＴに戻し再利用する。あるいは、液溜部22内に落下して再び蒸気化される。
【００２９】
処理槽30は上下方向寸法（高さ）が十分に大であるため、処理槽30内で、導体１の疎電着被膜２は、（混合槽20内走行中よりも）長い時間、混合有機溶剤Ｋに接触して、確実に接触し溶解作用を得る。樹脂微粒子11，11同士の隙間12（図６参照）の間に有機溶剤が浸透し、樹脂微粒子11を溶解して、図７に示すように、隙間12のほとんどない密電着被膜３が形成される。
【００３０】
また、混合有機溶剤Ｋの温度は、上述の下限値未満であると、樹脂微粒子11の溶解処理に時間がかかり、上限値を越えると、樹脂微粒子11の溶解が進み過ぎると共に、液化に時間がかかり回収効率が低下する。
また、処理槽30を通過した導体１は、燃付炉40内を走行する。焼付炉40内で、密電着被膜３を導体１に２００℃〜３００℃で焼付けて、図８に示すように、導体１にピンホールの少ない絶縁層４を被覆形成する。
【００３１】
また、図４に示すように、処理槽30の吸引口部36から、混合有機溶剤Ｋを吸い込んで回収する。吸引配管61内の混合有機溶剤Ｋの液体部分Ｋａは（直接的に）タンクＴへ送って再利用する。また、吸引配管61内の気体部分Ｋｂは、再生処理（濃度調整や不純物除去）した後、タンクＴへ送って再利用する。
【００３２】
ミストＭと蒸気Ｊを混合させることで、効率が良く、有機溶剤を多く回収できる。
仮に、有機溶剤の蒸気Ｊのみを処理槽30の上部30ａから流入させ、下部30ｂに吸引口部36を設けて強制排気すると、処理槽30内の有機溶剤の量の微調整が困難であると共に、疎電着被膜２に接触する有機溶剤が少ないため、大量供給、大量排気しなければならず有機溶剤の無駄が多くなると共に、蒸気Ｊの回収が困難となり（回収効率が悪く）、大気中に有害な有機溶剤の排気を放出させてしまう。上述の蒸気Ｊのみの方法（装置）に比べて、本発明の方法（装置）は、有機溶剤の使用量を約８０％削減でき、大気放出（排出）量も約８０％削減できる。
また、処理槽30内に、ミストＭのみを充満させても、ミスト化する際の気化熱で低温乃至常温となり、活性が小さく十分な溶解作用が得られない。また、疎電着被膜２に接触するための長い時間を浮遊することが困難である。
【００３３】
なお、本発明は設計変更可能であって、例えば、処理槽30と焼付炉40の間に、乾燥炉や、有機溶剤の液体を除去するローラ等の有機溶剤除去手段を設けても良い。なお、導体１の横断面形状は、矩形状以外に正方形、六角形状等自由である。また、混合槽20及び処理槽30を断熱材で包囲、又は、周壁部を断熱材で形成するのが好ましい。
【００３４】
以上のように、本発明は、導体１を下から上へ電着槽10内を走行させ、導体１に無数の樹脂微粒子11を付着させて疎電着被膜２を形成し、疎電着被膜２に、有機溶剤の蒸気Ｊと、噴射ノズル21から噴霧された有機溶剤のミストＭと、を混合した混合有機溶剤Ｋを接触させて、疎電着被膜２の樹脂微粒子11を溶解させて密電着被膜３を形成し、次に、密電着被膜３を導体１に焼き付けて、導体１に絶縁層４を被覆形成するので、樹脂微粒子11，11同士の間に有機溶剤が確実に浸透して、樹脂微粒子11，11同士の境界をなくすように溶解し、隙間12がほとんどない密電着被膜３を形成でき、ピンホールの少ない（ピンホールのない）高品質の絶縁電線が得られる。また、有機溶剤で効率よく確実に樹脂微粒子11，11間の隙間12を少なくできる。疎電着被膜２に作用する有機溶剤は主としてミストＭであるので、噴射ノズル21の設定で容易に調整できる。溶解処理全体に使用する有機溶剤（液体Ｅ）の使用量、及び、大気への排出量を大幅に削減でき、製造装置を簡素化できる。
【００３５】
また、下から上へ走行する導体１に無数の樹脂微粒子11を付着させて疎電着被膜２を形成するための電着槽10と、有機溶剤の蒸気Ｊと噴射ノズル21から噴霧された有機溶剤のミストＭとを混合して混合有機溶剤Ｋをつくる混合槽20と、混合槽20に連通すると共に混合有機溶剤Ｋを疎電着被膜２に接触させて密電着被膜３を形成するための処理槽30と、密電着被膜３を導体１に焼き付けて導体１に絶縁層４を被覆形成するための焼付炉40と、を備えたので、樹脂微粒子11，11同士の間に有機溶剤が確実に浸透して、樹脂微粒子11，11同士の境界をなくすように溶解し、隙間12がほとんどない密電着被膜３を形成でき、ピンホールの少ない（ピンホールのない）高品質の絶縁電線が得られる。また、有機溶剤で効率よく確実に樹脂微粒子11，11間の隙間12を少なくできる。疎電着被膜２に作用する有機溶剤は主としてミストＭであるので、噴射ノズル21の設定で容易に調整できる。使用する有機溶剤の（液体Ｅ）の使用量、及び、大気への排出量を大幅に削減でき、製造装置を簡素化できる。
【００３６】
また、混合槽20は、噴射ノズル21と、有機溶剤の液体Ｅを収容した液溜部22と、液溜部22内の有機溶剤の液体Ｅを加熱して有機溶剤の蒸気Ｊを発生させるための加熱ヒータ部24と、を備えたので、混合槽20内の温度と圧力を調整制御し易く、ミストＭに適切な熱エネルギーを与えてミストＭの活性（溶解処理作用）を向上でき、かつ、上方の処理槽30へ適切な供給量を送込むことが可能となる。さらに、側壁部28ｂ内にも加熱ヒータ部24を設けた場合には、混合槽20内の温度を均一に保つことができる。
【００３７】
また、混合槽20は、噴霧されたミストＭが直接的に疎電着被膜２に接触するのを防止するための遮蔽壁部25を有するので、噴霧させたミストＭを、混合槽20内で十分に混じり合って混合有機溶剤Ｋとなり、導体１の外周面１ａに均一に接触して溶解処理を効率よく確実に行うことができる。さらには、この遮蔽壁部25内にも加熱ヒータ部24を設けた場合には、より混合槽20内の温度を均一に保つことができる。
【００３８】
また、処理槽30の上部30ａに、処理槽30内の混合有機溶剤Ｋを吸引して回収するための吸引口部36を設け、さらに、吸引口部36より上方位置に、空気Ｄを下方へ噴射するエアー噴出器51を備えたので、処理槽30内に混合有機溶剤Ｋを十分に充満させることができ、吸引口部36により、混合有機溶剤Ｋを大気（外気）に無駄に排出させることなく、効率良く、確実に回収できる。
【００３９】
また、吸引口部36から吸引した混合有機溶剤Ｋのうち、吸引配管61内で液体Ｋａのものは、バルブＶを介して、タンクＴに（直接に）再利用でき、吸引配管61内で気体Ｋｂのものは、再生処理（工程）にて不純物除去や濃度調整を行った後に再利用できる。その結果、有機溶剤の（液体Ｅ）消費量を大幅に削減できる。
【符号の説明】
【００４０】
１  導体
２  疎電着被膜
３  密電着被膜
４  絶縁層
10  電着槽
11  樹脂微粒子
20  混合槽
21  噴射ノズル
22  液溜部
24  加熱ヒータ部
25  遮蔽壁部
30  処理槽
30ａ  上部
36  吸引口部
40  焼付炉
51  エアー噴出器
Ｄ  空気
Ｅ  液体
Ｊ  蒸気
Ｋ  混合有機溶剤
Ｍ  ミスト
【図１】
0005377535.tif 000002
【図２】
0005377535.tif 000003
【図３】
0005377535.tif 000004
【図４】
0005377535.tif 000005
【図５】
0005377535.tif 000006
【図６】
0005377535.tif 000007
【図７】
0005377535.tif 000008
【図８】
0005377535.tif 000009